(57)【要約】【課題】基板ブロックを感知器ボディに簡易に取付でき、取付後は基板ブロックの取り外しを困難にして、防犯対策を配慮した火災感知器を提供する。【解決手段】感知制御部を構成する基板ブロック４を、感知器ボディ１に内装させた火災感知器Ａにおいて、基板ブロック４は、取付孔部４１ａを形成するとともに、感知器ボディ１には、取付孔部４１ａの内径よりも小さい外径寸法を有した小突起１３ａを形成した基板ブロック支持座１３を設けてあり、基板ブロック４は、取付孔部４１ａより小突起１３ａを突出させるようにして、基板ブロック支持座１３に載せられた状態で、取付孔部４１ａより突出した小突起１３ａの先端部を熱溶融させて、基板ブロック支持座１３に固着する構造にしている。【選択図】図１
2006172346.tif 000002
【特許請求の範囲】
【請求項１】
感知制御部を構成する基板ブロックを、感知器ボディに内装させた火災感知器において、
上記基板ブロックは、取付孔部を形成するとともに、上記感知器ボディには、上記取付孔部の内径よりも小さい外径寸法を有した小突起を形成した基板ブロック取付支持座を設けてあり、
上記基板ブロックは、上記取付孔部より上記小突起を突出させるようにして、上記基板ブロック取付支持座に載せられた状態で、上記取付孔部より突出した上記小突起の先端部を熱溶融させて、上記基板ブロック取付支持座に固着された構造にしている、火災感知器。
【請求項２】
請求項１において、
上記基板ブロックは端子部を有しており、
上記感知器ボディ内に取付けられ、収容されている他の部品で隠蔽された部分と、上記端子部とを除く、他部分を防水性保護層で被覆された構造になっている、火災感知器。
【請求項３】
請求項１において、
上記基板ブロックは信号線を導出させており、
上記感知器ボディ内に取付けられ、収容されている他の部品で隠蔽された部分を除く部分が、上記信号線とともに、防水性保護層で被覆された構造になっている、火災感知器。
【発明の詳細な説明】
【技術分野】
【０００１】
本発明は、基板ブロックの、感知器ボディへの取付を簡易にし、かつ、防犯対策もなされた火災感知器の改良に関する。
【背景技術】
【０００２】
従来より、感知制御部を有する基板ブロックを感知器ボディに内装させた火災感知器が広く使用されている。
【０００３】
このものは、特許文献１などに提案されているが、図８に示すように、感知器ボディ１００と、プロテクタ部２００とが別体に成型されており、熱検知素子４４０を備えた基板ブロック４００を感知器ボディ１００に内装した状態で、該感知器ボディ１００の嵌合孔１００ａに下方からプロテクタ部２００の係合爪２００ａを係合させることで。感知器ボディ１００にプロテクタ部２００を取り付けて、基板ブロック４００に設けた熱検知素子４４０をプロテクタ部２００に内装するようになっている。
【０００４】
ここで、基板ブロック４００の感知器ボディ１００への取り付けは、ネジ孔を形成した基板ブロック取付支持座１３０に、基板ブロック４００を載せ、ネジＲを基板ブロック４００の取付孔部４１０を挿通させて基板ブロック取付支持座１３０に螺入して取り付け固定する。
【特許文献１】特願２００３−３０１０７５号
【発明の開示】
【発明が解決しようとする課題】
【０００５】
しかしながら、このような構造によれば、火災感知器の組立作業を行う際に、基板ブロックを逐一ネジ止めする作業を行う必要があり面倒であった。更に、ネジ止め時に基板ブロックが衝撃を受けたり損傷するおそれもあり、基板の密封性も保てなくなることがあった。
【０００６】
更に、ネジ止めにより固定して内装する構造であるため、基板ブロックを取り外して、盗聴器や監視カメラなどを仕込まれるおそれがある。
【０００７】
本発明は、このような問題を解決するために提案され、簡易に基板ブロックを感知器ボディに取付できる一方、取付後は基板ブロックの取り外しを困難にした火災感知器を提供することを目的とする。
【課題を解決するための手段】
【０００８】
上記目的を達成するために、本発明の請求項１では、感知制御部を構成する基板ブロックを、感知器ボディに内装させた火災感知器において、基板ブロックは、取付孔部を形成するとともに、感知器ボディには、取付孔部の内径よりも小さい外径寸法を有した小突起を形成した基板ブロック取付支持座を設けてあり、基板ブロックは、取付孔部より小突起を突出させるようにして、基板ブロック取付支持座に載せ、その状態で取付孔部より突出した小突起の先端部を熱溶融させて、基板ブロック取付支持座に固着する構造にしている。
【０００９】
ここに、本発明の火災感知器は、熱感知器、煙感知器、煙熱複合感知器に適用することができる。
【００１０】
請求項２では、基板ブロックは端子部を有しており、感知器ボディ内に取付けられ、収容されている他の部品で隠蔽された部分と、端子部とを除く、他部分を防水性保護層で被覆した構造になっている。
【００１１】
請求項３では、基板ブロックは信号線を導出させており、感知器ボディ内に取付けられ、収容されている他の部品で隠蔽された部分を除く部分が、信号線とともに、防水性保護層で被覆された構造になっている。
【発明の効果】
【００１２】
請求項１によれば、基板ブロックの取り付けは、はんだごて等を使用して、基板ブロック取付支持座の小突起を熱溶融させるだけで行え、取り外しは、基板ブロック取付支持座や基板ブロックを破壊しない限りできない。そのため、取付けが容易な上に、基板ブロックを不正に取り替えられるおそれも防止できる。
【００１３】
請求項２、３では、基板ブロックは防水性保護層で被覆されているので、火災報知時にスプリンクラーの放水を受けるなどして、多少の水が感知器ボディ内に浸入しても、火災検出動作が不能になることはない。
【発明を実施するための最良の形態】
【００１４】
以下に、本発明の実施の形態について説明する。
【実施例１】
【００１５】
図２は、本発明の火災感知器の一例を示す分解斜視図である。
【００１６】
１は感知器ボディ、２はプロテクタ部、３は遮蔽板、４は基板ブロックである。
【００１７】
感知器ボディ１とプロテクタ部２とは一体的に成型され、本体Ａを形成している。
【００１８】
本体Ａは、ボディ１とプロテクタ部２とを一体成型によって生じた連通開口部１０を有するが、その連通開口部１０は遮蔽板３によって遮断されるようになっている。
【００１９】
また、感知器ボディ１は、その内部に、基板ブロック４を内装するために、端子接続支持部１１、１１と、先端に、基板ブロック４の取付孔部の内径寸法よりも小さな外形寸法を有する小突起１３ａを有した基板ブロック取付支持座１３、１３を設けている。
【００２０】
遮蔽板３は、その底面３０には鍔部３１を設け、該鍔部３１には、中央に熱検知素子挿通孔３３を形成した周壁３２を設けている。
【００２１】
挿通孔３３は、基板ブロック４を感知器ボディ１に内装する際、熱検知素子４４の挿入時の引っ掛かりをなくすために、挿通孔３３の外周から孔に向けて傾斜させた誘い傾斜部３３ａを形成している。
【００２２】
基板ブロック４は、電子部品を実装した回路基板を防水性保護層４０で被覆された構造となっている。
【００２３】
基板ブロック４では、取付孔部４１ａを形成した取付片４１と、端子部４２、４２とを４隅に設け、下面には、サーミスタなどで構成された熱検知素子４４を設けており、取付孔部４１ａを有した取付片４１、４１、端子部４２、４２と熱検知素子４４は、防水性保護層４０から露出させた構造となっている。
【００２４】
このような構造によれば、基板ブロック４の下面より突出した熱検知素子４４を、遮蔽板３の鍔部３１の中央に形成した挿通孔３３よりプロテクタ部２の内部に突出させるようにして、遮蔽板３の鍔部３１を、感知器ボディ１の連通開口部１０の周辺に形成した凹所１２に嵌め入れ、その遮蔽板３の周壁３２上に基板ブロック４を載せ、更に、基板ブロック４の取付孔部４１ａを基板ブロック取付支持座１３、１３に載せて、感知器ボディ１内に固着している（図３（ａ），（ｂ）,（ｃ）参照）。
【００２５】
すなわち、基板ブロック４は、その取付孔部４１ａを基板ブロック取付支持座１３，１３に載せた状態で、基板ブロック取付支持座１３，１３の小突起１３ａを取付孔部１４ａから突出させた状態で、小突起１３ａを熱溶融させることで、感知器ボディ１に取り付けられており、この点については後述する。
【００２６】
なお、火災感知器として使用される場合には、感知器本体Ａの上方には、天井面に取り付けされるベース部が結合され、天井面などに取り付けて使用されるが、この場合、天井面に固定されたベース部（不図示）に対して、感知器ボディを一定方向に回動させることで、感知器ボディ１内の栓刃受け接続端子５と、ベース部内に設けた栓刃接続端子（不図示）とが嵌合されて、感知器本体とベース部とが結合される。
【００２７】
なお、図例では、回路基板の隅端に形成した取付片４１に取付孔部４１ａを形成して、後述する防水性保護層４０から露出した箇所に取付孔部を構成しているが、このような取付片を設けることなく、防水性保護層４０を貫通する孔を形成して、取付孔部としてもよい。
【００２８】
図３は、感知器ボディ１に、遮蔽板３、基板ブロック４を組み付けた態様の一例を示す図であり、図３（ａ）は上方から見たときの平面図、図３（ｂ）は側面から見たときの縦断面図、図３（ｃ）は下方から見たときの平面図である。
【００２９】
感知器ボディ１の底面に、遮蔽板３，基板ブロック４を組み付けたときには、遮蔽板３の鍔部３１が、挿通開口部１０の凹所１２に嵌入することで、遮蔽板３の鍔部３１が挿通開口部１０の上面を、挿通孔３３を除いて塞いだ態様となる。
【００３０】
また、遮蔽板３の周壁３２上に載置した基板ブロック４は、周壁３２が均一な高さに形成されているので、基板ブロック４は周壁３２の上縁に密着して載置できる。
【００３１】
そのため、遮蔽板３の鍔部３１によって感知器ボディ１内部からプロテクタ部２へ流通する空気の流路が遮断され、天井面などから感知器ボディ１の内部に外気が入り込んでも、その外気がプロテクタ部２に入り込んで、プロテクタ部２に内装されている熱検知素子４４を不用意に冷却して、環境温度の検知に支障を与えることが防止できる。
【００３２】
ついで、基板ブロック４の感知器ボディ１への取付要領について説明する。図１は、本発明の火災感知器における基板ブロックの取付け要領を示しており、（ａ）は基板ブロックの取付け前、（ｂ）は基板ブロックの取付け後の状態を示している。
【００３３】
基板ブロック４は、取付片４１を、感知器ボディ１内に立設された取付支持座１３に載せ置き、基板ブロック４の取付片４１の取付孔部４１ａより支持座１３の小突起１３ａを突出させ、その小突起１３ａの先端にコテ７を押し付けるなどして先端を溶融させて固着する。
【００３４】
このような方法で基板ブロック４を感知器ボディ１内に固着する場合、基板ブロック４の形状を変化させないためにコテ７の加熱温度を、基板ブロック４の取付片４１の融点よりも低く、かつ、小突起１３ａの融点よりも高くするが、感知器本体部ＡをＡＢＳ樹脂で成型し、基板ブロック４の回路基板をガラスエポキシ樹脂で製しているものでは、熱着時のコテ７の温度は、２２０〜２３０℃にすることが望ましい。
【００３５】
また、図例の火災感知器では、感知器ボディ１とプロテクタ部２とは、ＡＢＳ樹脂で一体成型されているので、小突起１３ａを設けた取付支持座１３とは同じ素材になっているが、小突起１３ａのみを加熱によって容易に溶融変形しやすい素材で形成してもよい。
【００３６】
本発明では、このような熱溶融により固着する構造にしているので、ネジが不要となり、部品点数が軽減され、基板ブロック４、取付支持座１３などを壊さない限り、基板ブロック４を感知器ボディ１より取り外すことは出来ない。そのため、基板ブロック４を取り外して、他のものを入れ替えて不正使用されるおそれも少ない。
【００３７】
ついで、基板ブロック４の配線接続構造について説明する。
【００３８】
感知器ボディ部１は、図２に示したように、前述した基板ブロック取付支持座１３、１３に加えて、基板ブロック４の端子部４２、４２を載置した状態で配線作業を行うために、一対の接続支持座１１，１１を設けている。
この接続支持座１１，１１は、基板ブロック取付支持座１３、１３とは反対側で対角配置されている。
【００３９】
図４は、接続支持座の上に基板ブロックを載置いた状態を示す部分概略説明図、図５は接続支持座に載置いた基板ブロックを感知器ボディ内の接続端子と接続した状態を示している。
【００４０】
接続支持座１１は、図に示したように、感知器ボディ１の底面に突出形成した脚部の上方の一部を切欠して形成した支持部１１ａを有しており、その上に基板ブロック４の端子部４２を載せ置くようになっており、端子部４２に導電体を設け、それに貫通孔を形成して構成された接続孔４２ａには、栓刃受け接続端子５に接続された接続金具６の先端より突出させたピン６ａを突出させ、半田付けすることで、基板ブロック４の電気的接続が行えるようになっている。
【００４１】
接続構造は、図例のようなものには限定されず、例えば、端子部４２に導電部を設けて、それを接続支持座１１に設けた導電部（いずれも不図示）に接触させたり、ネジ止めするなどして接続できるものでもよい。
【００４２】
このような接続構造によれば、基板ブロック４を感知器ボディ１内に載置した状態で接続作業ができるので、組み立てが容易である。
【００４３】
また、基板ブロック４の接続に信号線を使用しないので、部品点数も軽減されるだけでなく、リード線を使用する場合に比べて作業の障害にならないために、組み立て作業を容易にできる利点がある。
【００４４】
図６は、本発明の熱感知器の他例を示す分解斜視図である。図７は、この態様の熱感知器の感知器ボディ１に、遮蔽板３、基板ブロック４を組み付けた態様の他例を示す図であり、図７（ａ）は上方から見た平面図、図７（ｂ）は側面から見た断面図、図７（ｃ）は下方から見た平面図である。
【００４５】
本例では、基板ブロック４に信号線４５、光ガイド４６が直接接続されている。
【００４６】
ここに、信号線４５は、その先端をベース部に設けた接続端子に接続され、光ガイド４６は光ファイバーなどで構成され、基端は、基板ブロック４の内部にあるプリント基板上に実装されたＬＥＤと接続され、その先端は感知器ボディの適所に設けた動作灯表示窓に導かれ、ＬＥＤからの発光を受けて動作表示灯として点灯ないし点滅するようになっている。
【００４７】
基板ブロック４には端子部はなく、信号線４５、光ガイド４６の全体部分が防水性保護層４０で被覆された構造になっており、前述したと同じ方法で感知器ボディに固着され、内装される。なお、他の構成部については先述と同様であるため、図には同一の符号を付して、それらの説明は割愛する。
【図面の簡単な説明】
【００４８】
【図１】本発明の火災感知器における基板ブロックの取付け要領を示しており、（ａ）は基板ブロックの取付け前、（ｂ）は基板ブロックの取付け後の状態を示している。
【図２】本発明の火災感知器の一例を示す分解斜視図
【図３】図２の火災感知器の感知器ボディに、遮蔽板、基板ブロックを組み付けた態様の一例を示す図であり、（ａ）は上方から見たときの平面図、（ｂ）は縦断面図、（ｃ）は下方から見たときの底面図
【図４】端子接続支持座に基板ブロックを載置した状態を示す図
【図５】端子接続支持座に基板ブロックを載置して、感知器ボディの接続端子に接続した状態を示す図
【図６】本発明の火災感知器の他例を示す分解斜視図
【図７】図６の火災感知器の感知器ボディに、遮蔽板、基板ブロックを組み付けた態様の他例を示す図であり、（ａ）は上方から見たときの平面図、（ｂ）は縦断面図、（ｃ）は下方から見たときの平面図
【図８】従来の火災感知器の構造を示す概略縦断面図
【符号の説明】
【００４９】
Ａ  本体部
１  感知器ボディ
２  プロテクタ部
１３  基板ブロック取付支持座
１３ａ  小突起
４  基板ブロック
４０  防水性保護層
４１ａ  取付孔部
４４  熱検知素子
４５  信号線
【図１】
2006172346.tif 000003
【図２】
2006172346.tif 000004
【図３】
2006172346.tif 000005
【図４】
2006172346.tif 000006
【図５】
2006172346.tif 000007
【図６】
2006172346.tif 000008
【図７】
2006172346.tif 000009
【図８】
2006172346.tif 000010